【手続補正書】
【提出日】平成18年7月3日(2006.7.3)
【手続補正１】
【補正対象書類名】特許請求の範囲
【補正対象項目名】全文
【補正方法】変更
【補正の内容】
【特許請求の範囲】
【請求項１】
情報を記憶可能な素子を備えた複数のインクユニットと、
前記複数のインクユニットが配列され、所定の移動方向へ移動可能なインクユニット支持部材と、
前記素子に記憶された情報を非接触にて読み取る読み取り部材とを有する印刷装置であって、
前記読み取り部材が前記移動方向の先頭に配置されたインクユニットに備えられた素子に記憶された情報のみを読み取ることのできる位置に、前記インクユニット支持部材を移動させて、該読み取り部材が該素子に記憶されたＩＤ情報を読み取った後に、
ＩＤ情報の読み取りを終えた素子、及び、該素子に隣接し未だＩＤ情報の読み取りを終えていない素子、のみに対して前記読み取り部材がアクセス可能な位置に、前記インクユニット支持部材を移動させて、
前記読み取り部材が、未だＩＤ情報の読み取りを終えていない素子に記憶されたＩＤ情報を読み取ることを特徴とする印刷装置。
【請求項２】
請求項１に記載の印刷装置において、
前記各インクユニットについて、前記読み取り部材が該インクユニットに備えられた素子に記憶されたＩＤ情報を読み取り、該インクユニットの前記インクユニット支持部材における配列順番と、該インクユニットに備えられた前記素子に記憶されたＩＤ情報との関係を特定することを特徴とする印刷装置。
【請求項３】
請求項１又は請求項２に記載の印刷装置において、
前記ＩＤ情報は、前記素子が前記インクユニットに取り付けられる前に、該素子に記憶させられた該素子固有の情報であることを特徴とする印刷装置。
【請求項４】
請求項１乃至請求項３のいずれかに記載の印刷装置において、
前記インクユニットは、前記インクユニット支持部材に対して着脱自在であることを特徴とする印刷装置。
【請求項５】
請求項１乃至請求項４のいずれかに記載の印刷装置において、
前記インクユニット支持部材に配列されたインクユニットすべてについて、該インクユニット支持部材における配列順番と、該インクユニットに備えられた前記素子に記憶されたＩＤ情報との関係を特定した後に、
前記ＩＤ情報によって各素子を識別しつつ、前記読み取り部材が、前記インクユニット支持部材に配列されたインクユニットに備えられた各素子に記憶されたＩＤ情報以外の情報を読み取ることを特徴とする印刷装置。
【請求項６】
請求項１乃至請求項５のいずれかに記載の印刷装置において、
前記インクユニット支持部材は移動可能であって、
前記読み取り部材が複数の素子から情報を読み取ることのできる位置に、前記インクユニット支持部材を移動させて、
前記ＩＤ情報によって各素子を識別しつつ、前記読み取り部材が、各素子に記憶されたＩＤ情報以外の情報を読み取ることを特徴とする印刷装置。
【請求項７】
請求項６に記載の印刷装置において、
前記読み取り部材が、前記インクユニット支持部材での配列順番における、奇数番目とこれに隣接する偶数番目のインクユニットに備えられた素子から情報を読み取ることのできる位置に、前記インクユニット支持部材を順次移動させて、
前記ＩＤ情報によって各素子を識別しつつ、前記読み取り部材が、各素子に記憶されたＩＤ情報以外の情報を読み取ることを特徴とする印刷装置。
【請求項８】
コンピュータ本体、及び、
前記コンピュータ本体に接続される印刷装置であって、情報を記憶可能な素子を備えた複数のインクユニットと、前記複数のインクユニットが配列され、所定の移動方向へ移動可能なインクユニット支持部材と、前記素子に記憶された情報を非接触にて読み取る読み取り部材とを有する印刷装置であり、前記読み取り部材が前記移動方向の先頭に配置されたインクユニットに備えられた素子に記憶された情報のみを読み取ることのできる位置に、前記インクユニット支持部材を移動させて、該読み取り部材が該素子に記憶されたＩＤ情報を読み取った後に、ＩＤ情報の読み取りを終えた素子、及び、該素子に隣接し未だＩＤ情報の読み取りを終えていない素子、のみに対して前記読み取り部材がアクセス可能な位置に、前記インクユニット支持部材を移動させて、前記読み取り部材が、未だＩＤ情報の読み取りを終えていない素子に記憶されたＩＤ情報を読み取る印刷装置、
を具備することを特徴とするコンピュータシステム。
【請求項９】
情報を記憶可能な素子を備えた複数のインクユニットと、前記複数のインクユニットが配列され、所定の移動方向へ移動可能なインクユニット支持部材と、前記素子に記憶された情報を非接触にて読み取る読み取り部材とを有する印刷装置を用いて、前記素子に記憶されたＩＤ情報を読み取る方法であって、
前記読み取り部材が前記移動方向の先頭に配置されたインクユニットに備えられた素子に記憶された情報のみを読み取ることのできる位置に、前記インクユニット支持部材を移動させて、該読み取り部材が該素子に記憶されたＩＤ情報を読み取った後に、
ＩＤ情報の読み取りを終えた素子、及び、該素子に隣接し未だＩＤ情報の読み取りを終えていない素子、のみに対して前記読み取り部材がアクセス可能な位置に、前記インクユニット支持部材を移動させて、
前記読み取り部材が、未だＩＤ情報の読み取りを終えていない素子に記憶されたＩＤ情報を読み取ることを特徴とする、素子に記憶されたＩＤ情報を読み取る方法。
【請求項１０】
情報を記憶可能な素子を備えた複数のインクユニットと、
前記複数のインクユニットが配列された移動可能なインクユニット支持部材と、
前記素子に記憶された情報を非接触にて読み取る読み取り部材とを有する印刷装置であって、
前記インクユニット支持部材は、前記読み取り部材が複数のインクユニットに備えられた素子に記憶された情報をそれぞれ読み取ることのできる位置に移動し、該位置にて該読み取り部材が該情報をそれぞれ読み取ることを特徴とする印刷装置。
【請求項１１】
請求項１０に記載の印刷装置において、
前記インクユニット支持部材は、前記読み取り部材が互いに隣接する２つのインクユニットに備えられた素子に記憶された情報をそれぞれ読み取ることのできる位置に移動し、該位置にて該読み取り部材が該情報をそれぞれ読み取ることを特徴とする印刷装置。
【請求項１２】
請求項１０又は請求項１１に記載の印刷装置において、
各インクユニットに備えられた素子に記憶されたＩＤ情報を利用して、前記読み取り部材が前記素子に記憶された情報をそれぞれ読み取ることを特徴とする印刷装置。
【請求項１３】
情報を記憶可能な素子を備えた複数のインクユニットと、前記複数のインクユニットが配列された移動可能なインクユニット支持部材と、前記素子に記憶された情報を非接触にて読み取る読み取り部材とを有する印刷装置を用いて、前記素子に記憶された情報を読み取る方法であって、
前記インクユニット支持部材を、前記読み取り部材が複数のインクユニットに備えられた素子に記憶された情報をそれぞれ読み取ることのできる位置に移動し、該位置にて該読み取り部材が該情報をそれぞれ読み取ることを特徴とする、素子に記憶された情報を読み取る方法。
【手続補正２】
【補正対象書類名】明細書
【補正対象項目名】０００６
【補正方法】変更
【補正の内容】
【０００６】
主たる本発明は、情報を記憶可能な素子を備えた複数のインクユニットと、前記複数のインクユニットが配列され、所定の移動方向へ移動可能なインクユニット支持部材と、前記素子に記憶された情報を非接触にて読み取る読み取り部材とを有する印刷装置であって、前記読み取り部材が前記移動方向の先頭に配置されたインクユニットに備えられた素子に記憶された情報のみを読み取ることのできる位置に、前記インクユニット支持部材を移動させて、該読み取り部材が該素子に記憶されたＩＤ情報を読み取った後に、ＩＤ情報の読み取りを終えた素子、及び、該素子に隣接し未だＩＤ情報の読み取りを終えていない素子、のみに対して前記読み取り部材がアクセス可能な位置に、前記インクユニット支持部材を移動させて、前記読み取り部材が、未だＩＤ情報の読み取りを終えていない素子に記憶されたＩＤ情報を読み取ることを特徴とする。